(57)【要約】【課題】収容される商品の形態に関係なく容易に取り出すとともに、上面板の意図しない開き出しを規制する。【解決手段】正面板４の上端部に取出開口４ａを形成するとともに、その近傍の左右端縁に左右の側面板を越えて外方に突出する係止凸部４ｘを形成する。また、背面板に上面板を連設するとともに、上面板に係止板８を連設してこれらの上面板および係止板８を接続板１２を介して連結し、さらに、接続板１２に正面板４の係止凸部４ｘに対応して係止凹部１２ａを形成する。これにより、係止板８の回動により、接続板１２の係止凹部１２ａを係止凸部４ｘと係合させて係止板８を介して正面板４の取出開口４ａおよび上面板を介して上面板側開口を閉鎖し、あるいは、接続板１２の係止凹部１２ａによる係止凸部４ｘとの係合状態を解除させて正面板４の取出開口４ａおよび上面板側開口を開放する。【選択図】図２
2010254320.tif 000002
【特許請求の範囲】
【請求項１】
下面板、左右の側面板、上面板、背面板および正面板を備えた包装容器において、正面板の上端部に取出開口を形成するとともに、その近傍の左右端縁に左右の側面板を越えて外方に突出する係止凸部を形成し、また、背面板に上面板を連設するとともに、上面板に係止板を連設してこれらの上面板および係止板を接続板を介して連結し、さらに、接続板に正面板の係止凸部に対応して係止凹部を形成してなり、係止板の回動により、接続板の係止凹部を係止凸部と係合させて係止板および上面板を介してそれぞれ正面板の取出開口および上面板側開口を閉鎖し、あるいは、接続板の係止凹部による係止凸部との係合状態を解除させて正面板の取出開口および上面板側開口を開放することを特徴とする包装容器。
【発明の詳細な説明】
【技術分野】
【０００１】
本発明は、菓子などの包装容器に関するものである。
【背景技術】
【０００２】
従来より、下面板、左右の側面板、上面板、背面板および正面板を備え、内部にタブレット状や粒状のガムやチョコレートなどの菓子を収容してなる包装容器が知られている。このような包装容器においては、必要に応じて上面板を開放操作し、内部に収容された菓子を上面板側開口を通して取り出すようにしている。
【０００３】
このような包装容器において、例えば、特許文献１に示されるように、上面板に連設された係止板の内面に係止片を貼着する一方、上面板の上端縁に被係止片を連設し、包装容器の上面板側開口を上面板によって閉鎖している状態において、係止板の内面に貼着された係止片の内端縁を被係止片の先端縁に係止させて係止板に連設された上面板の意図しない開き出しを規制することが提案されている。
【０００４】
そして、包装容器の上面板側開口が上面板によって閉鎖されている状態において、係止板を引き上げることにより、係止板に貼着された係止片が被係止片を立ち上げつつ弾性変形させて乗り越えることから、係止板に連設された上面板を回動させて上面板側開口を開放させることができる。
【０００５】
また、菓子を取り出した後、上面板を押し下げることにより、上面板に連設された係止板が該係止板の内面に貼着された係止片とともに被係止片を押し倒して被係止片を乗り越え、係止片の内端縁を被係止片の先端縁に係止させることから、係止板、すなわち、上面板の開き出しを規制して上面板側開口を閉鎖状態に維持することができる。
【先行技術文献】
【特許文献】
【０００６】
【特許文献１】特開平９−１６９３３３号公報
【発明の概要】
【発明が解決しようとする課題】
【０００７】
ところで、前述した包装容器においては、正面板の上端縁に連設された被係止片に対して係止板に貼着された係止片を係止させる必要がある。ここで、正面板の上端部に商品を摘み上げるための取出開口を形成すると、その開口の下端縁に被係止片を連設することになる。この場合、被係止片と係止される係止片が貼着される係止板としては、取出開口を覆う長さに加えて、係止板を貼着するスペースおよび被係止片の高さに相当する長さを必要とする大きなものとなる。この結果、包装容器の見栄えが低下するばかりでなく、大きな係止板および該係止板を上面板と連結するための大きな係止片が必要となり、コートボールに多くのロスを発生させるとともに、歩留りが低下し、コストアップを招くものとなる。
【０００８】
これにより、被係止片を正面板に設ける包装容器においては、正面板の上端部に取出開口を形成することができず、収容できる商品としては、タブレット状や粒状の菓子など、包装容器を傾けることによって取り出せる商品に限定されるという欠点があった。すなわち、例えば、スティック状袋体に収容された顆粒状や粉状の薬品や包装紙に包装された板状の菓子などの商品の場合、密着した状態で包装容器に収容されるため、商品を上面板側開口から取り出しにくく、収容対象の商品からは除外されていた。
【０００９】
本発明は、このような問題点に鑑みてなされたもので、収容される商品の形態に関係なく容易に取り出すことができるとともに、上面板の意図しない開き出しを規制することのできる菓子などの包装容器を提供するものである。
【課題を解決するための手段】
【００１０】
本発明は、下面板、左右の側面板、上面板、背面板および正面板を備えた包装容器において、正面板の上端部に取出開口を形成するとともに、その近傍の左右端縁に左右の側面板を越えて外方に突出する係止凸部を形成し、また、背面板に上面板を連設するとともに、上面板に係止板を連設してこれらの上面板および係止板を接続板を介して連結し、さらに、接続板に正面板の係止凸部に対応して係止凹部を形成してなり、係止板の回動により、接続板の係止凹部を係止凸部と係合させて係止板および上面板を介してそれぞれ正面板の取出開口および上面板側開口を閉鎖し、あるいは、接続板の係止凹部による係止凸部との係合状態を解除させて正面板の取出開口および上面板側開口を開放することを特徴とするものである。
【００１１】
本発明によれば、コートボールを展開図にしたがって打ち抜いた後、折り目に沿って折り込むこととともに、所定部分を貼着して包装容器が組み立てられ、菓子などの商品が収容されて出荷される。
【００１２】
ここで、上面板側開口を上面板によって閉鎖している状態では、正面板の係止凸部に接続板の係止凹部が係合しており、意図しない接続板の回動が規制されている。すなわち、接続板を介して接続された係止板および上面板の回動が規制される。これにより、包装容器の上面板側開口および正面板の取出開口は、意図しない開き出しが規制された上面板および係止板によって閉鎖状態に維持されている。
【００１３】
一方、上面板側開口を開放させる方向に係止板を回動させると、係止板に連結された接続板も追従して回動し、正面板の係止凸部に係合している接続板の係止凹部近傍が弾性変形して係止凸部を乗り越える。これにより、係止板とともに接続板を介して連結された上面板も追従して回動し、正面板の取出開口および上面板側開口を開放させることができる。この際、包装容器に収容された商品は、正面板の取出開口を通して一部露出されることから、正面板の取出開口を利用して容易に引き出すことができ、これまで収容が敬遠されていた形態の商品であっても収容することが可能となる。例えば、スティック状の商品や板状の商品が密に収容されたとしても、取出開口を利用して容易に取り出すことが可能となり、収容できる商品の形態を拡大することができる。
【００１４】
また、上面板側開口を閉鎖する方向に上面板を回動させると、上面板に連結された係止板および接続板も追従して回動することから、接続板の係止凹部近傍が正面板の係止凸部に接触して押し広げる方向に弾性変形し、係止凸部を乗り越える。そして、係止凸部を乗り越えれば、元の状態に復元することで正面板の係止凸部に接続板の係止凹部が係合し、意図しない接続板の回動が規制される。これにより、包装容器の上面板側開口および正面板の取出開口は、意図しない開き出しが規制された上面板および係止板によって閉鎖状態に維持される。
【発明の効果】
【００１５】
本発明によれば、収容される商品の形態に関係なく容易に取り出すことができるとともに、上面板の意図しない開き出しを規制することができる。
【図面の簡単な説明】
【００１６】
【図１】本発明の包装容器の一実施形態を示す斜視図である。
【図２】図１の包装容器の上面板を回動して示す斜視図である。
【図３】図１の包装容器の展開図である。
【図４】図１の包装容器の組立工程を示す説明図である。
【図５】図１の包装容器の組立工程を示す説明図である。
【図６】図１の包装容器の組立工程を示す説明図およびそのＡ部拡大図である。
【発明を実施するための形態】
【００１７】
以下、本発明の実施の形態を図面に基づいて説明する。
【００１８】
図１および図２には、本発明の包装容器１の一実施形態が示されている。
【００１９】
この包装容器１は、コートボールを図３に示す展開図にしたがって打ち抜いた後、折り目に沿って折り込むこととともに、所定部分を貼着して組み立てられる。そして、包装容器１に菓子などの商品を収容して適宜包装した後、出荷される。
【００２０】
この包装容器１は、図３の展開図において、背面板２の左端縁に、右側面板３、正面板４、左側面板５が折り目ａ，ｂ，ｃを介して順に連設されるとともに、背面板２の右端縁に糊代６が折り目ｄを介して連設される一方、背面板２の上端縁に上面板７および係止板８が折り目ｅ，ｆを介して順に連設されるとともに、背面板２の下端縁に糊代９が折り目ｇを介して連設され、また、右側面板３および左側面板５の各下端縁にそれぞれフラップ１０が折り目ｈを介して連設され、さらに、正面板４の下端縁に下面板１１が折り目ｉを介して連設され、さらにまた、上面板７の左右各端縁にそれぞれ接続板１２が折り目ｊを介して連設されて構成されている。
【００２１】
そして、正面板４の上端部には、取出開口４ａが形成されており、この取出開口４ａを通して包装容器１に収容された菓子などの商品を取り出すことができる。また、正面板４には、取出開口４ａの下方に位置して、上方に凸の円弧状切れ目ｍが形成されており、この円弧状切れ目ｍに係止板８の先端縁部を差し込むことができる。すなわち、正面板４の円弧状切れ目ｍは、係止板８の高さ（折り目ｆから係止板８の上端縁までの距離）に対応して、その先端縁部を差し込むことができるように形成されている。さらに、正面板４と右側面板３との折り目ｂおよび正面板４と左側面板５との折り目ｃは、取出開口４ａの下端縁に略対応する位置において、一定長さにわたって不連続に形成されており、その不連続部分には、それぞれ左右の側面板３，５側にわずかに突出する円弧状切れ目ｎが形成されている。これにより、包装容器１が組み立てられた際に、正面板４の上端部近傍の左右各端縁には、円弧状切れ目ｎによる係止凸部４ｘが左右の側面板３，５から切り起こされるとともに、左右の側面板３，５の外面をわずかに越えて延出するようになっている。
【００２２】
一方、各接続板１２には、上面板７と係止板８との折り目ｆに連続する折り目ｋが形成されており、折り目ｋよりも上方の部分１２１が、接続片として係止板８に貼着されるようになっている。そして、接続板１２の折り目ｋよりも上方の部分１２１は、係止板８に対向する端縁部が一部切除されている。また、接続板１２には、折り目ｋの外方側端縁部において、一定深さおよび幅の係止凹部１２ａが形成されている。この係止凹部１２ａは、その深さが前述した円弧状切れ目ｎの弦に略相当する長さに設定され、また、折り目ｆと折り目ｊとの交点から係止凹部１２ａの底までの距離は、正面板４の円弧状切れ目ｎと折り目ｂとの上端側交点と、折り目ｅと折り目ｂとの仮想交点との間の距離に略一致するように設定されている。
【００２３】
なお、係止凹部１２ａの幅は、前述した正面板４の円弧状切れ目ｎによる係止凸部４ｘを上下方向から挟み込むとともに、各接続板１２における係止凹部１２ａよりも下方側の端縁部が係止凸部４ｘの裏面に略接触するように、コートボールの厚みに対応して設定されている。
【００２４】
次に、このように構成された包装容器１の組立手順について説明する。
【００２５】
まず、図３の展開図にしたがってコートボールを打ち抜くとともに、裏面が上面を向くように反転させた後、糊代６を背面板２に対して折り目ｄに沿って谷折りし（図４参照）、その表面に接着剤を塗布した後、正面板４を左側面板５とともに右側面板３に対して折り目ｂに沿って谷折りし、左側面板５の裏面を糊代６に貼着する（図５参照）。
【００２６】
次いで、背面板２が下面に位置するように配置した後、背面板２に対して右側面板３を折り目ａに沿って谷折りして起立させることにより、長手方向の両端が開口された包装容器１を形成する。この際、正面板４の上端部近傍の左右各端縁には、円弧状切れ目ｎによって右側面板３および左側面板５から切り起こされた係止凸部４ｘがそれらの外面をわずかに越えて延出している。
【００２７】
この後、各接続板１２を折り目ｋに沿ってそれぞれ谷折りするとともに、上面板７に対して各接続板１２を折り目ｊに沿ってそれぞれ谷折りし、さらに、上面板７を背面板２に対して折り目ｅに沿って谷折りする。
【００２８】
この際、図６に示すように、各接続板１２の折り目ｋよりも上方の部分１２１が正面板４の取出開口４ａを覆うように正面板４に重なって配置されるとともに、折り目ｋよりも下方の部分がそれぞれ左右の側面板３，５に重なって配置される。そして、各接続板１２の折り目ｋは、それぞれ正面板２と右側面板３との辺および正面板２と左側面板５との辺に重なって配置されるとともに、折り目ｋ上に形成された係止凹部１２ａは、係止凸部４ｘに嵌まり込んで係合する。すなわち、各接続板１２における係止凹部１２ａよりも下方側の端縁部が係止凸部４ｘの下面に略接触状態で配置されて係合する（図６（ｂ）参照）。
【００２９】
この後、正面板４に載置された各接続板１２の折り目ｋよりも上方の部分１２１の表面に接着剤を塗布し、係止板８を上面板７に対して折り目ｆに沿って谷折りして係止板８を貼着する。
【００３０】
次いで、上面板７が下面に位置するように包装容器１を倒立させ、下面板１１側開口を通して設定数量の菓子などの商品を供給した後、各フラップ１０を左右の側面板３，５に対して折り目ｈに沿ってそれぞれ谷折りし、さらに、糊代９を背面板２に対して折り目ｇに沿って谷折りするとともに、その表面に接着剤を塗布し、下面板１１を正面板４に対して折り目ｉに沿って谷折りし、下面板１１を糊代９に貼着する。これにより、内部に菓子などの商品が収容された包装容器１が形成される（図１参照）。この後、詳細には図示しないが、包装容器１はフィルムで包装されて出荷される。
【００３１】
ところで、商品を購入した消費者はフィルムを剥離した後、係止板８を引き上げることにより、係止板８と一体の上面板７を回動させ、上面板７側開口を開放させることができ、上面板７側開口を通して菓子などの商品を取り出すことができる。
【００３２】
すなわち、包装容器１の上面板７側開口が上面板７によって閉鎖されている状態においては、接続板１２における係止凹部１２ａよりも下方側の端縁部が正面板４の係止凸部４ｘの下方に位置して係合しており、接続板１２の意図しない上方への回動が規制されている。これにより、接続板１２を介して連結された係止板８および上面板７の意図しない開き出しが規制されている。この状態から、係止板８を引き上げれば、係止板８に接続された接続板１２が追従して回動し、接続板１２における係止凹部１２ａよりも下方側の端縁部が正面板４の係止凸部４ｘに係合して外方に開き出すように弾性変形して乗り越える。この際、接続板１２における係止凹部１２ａよりも下方側の端縁部が元の状態に復元し、左右の側面板３，５に突き当たってカチッと音を発することから、係合状態が解除されたことを音でも確認することができる。
【００３３】
これにより、係止板８および上面板７を回動させて、正面板４の取出開口４ａを開放させるとともに、上面板７側開口を開放させることができる。したがって、包装容器１に収容された菓子などの商品は、正面板４の取出開口４ａを通して一部が露出し、正面板４の取出開口４ａおよび上面板７側開口を通して商品を容易に取り出すことができる。
【００３４】
一方、商品を取り出して上面板７側開口を閉鎖する場合は、上面板７を押し下げることにより、上面板７に接続された係止板８および接続板１２も追従して回動し、接続板１２の折り目ｋよりも下方の部分が左右の側面板３，５に沿って回動する。そして、接続板１２における係止凹部１２ａよりも下方側の端縁部が正面板４の係止凸部４ｘに上方から係合して外方に開き出すように弾性変形して乗り越える。この後、接続板１２における切欠凹部１２ａよりも下方側の端縁部が元の状態に復元し、正面板４の係止凸部４ｘの下方に位置して係合し、接続板１２の開き出し、すなわち、上面板７および係止板８の開き出しを規制する。これにより、係止板８および上面板７を回動させて、正面板４の取出開口４ａを閉鎖させるとともに、上面板７側開口を閉鎖させ、その閉鎖状態を維持することができる。この際、接続板１２における係止凹部１２ａよりも下方側の端縁部が元の状態に復元し、左右の側面板３，５に突き当たってカチッと音を発することから、係合されたことを音でも確認することができる。
【００３５】
以上のように、上面板７側開口とともに正面板４の取出開口４ａを利用して商品を取り出すことができることから、従来の包装容器では、商品が密着して取り出しにくさの観点から敬遠されていた多様な包装形態の商品を収容することが可能となる。例えば、タブレット状や粒状の菓子など以外に、顆粒状あるいは粉末状薬品や砂糖などをスティック状包装袋に収容した商品や、板状のガムや菓子などを包装紙で包装した商品であっても収容することができる。
【００３６】
また、係止凸部４ｘに対する係止凹部１２ａの係合によって、これまでと同様に意図しない上面板７の開き出しを規制することができるとともに、必要に応じて簡単に弾性変形させて係合状態を解除させ、上面板７側開口および取出開口４ａを開放させることができる。
【符号の説明】
【００３７】
１  包装容器
２  背面板
３，５  側面板
４  正面板
４ａ  取出開口
４ｘ  係止凸部
６，９  糊代
７  上面板
８  係止板
１１  下面板
１２  接続板
１２ａ  係止凹部
ａ，ｂ，ｃ，ｄ，ｅ，ｆ，ｇ，ｈ，ｉ，ｊ，ｋ  折り目
ｍ，ｎ  切れ目
【図１】
2010254320.tif 000003
【図２】
2010254320.tif 000004
【図３】
2010254320.tif 000005
【図４】
2010254320.tif 000006
【図５】
2010254320.tif 000007
【図６】
2010254320.tif 000008